【事件の表示】
　平成１０年特許願第　５２４２０号「高電力電流調整スイッチ管」拒絶査定に対する審判事件［平成１１年　２月１２日出願公開、特開平１１−　４００８４］について、次のとおり審決する。
【結　論】
　本件審判の請求は、成り立たない。
【理　由】
１．手続きの経緯・本願発明
　本願は、平成１０年３月４日（パリ条約による優先権主張、平成９年３月４日、米国）の出願であって、その請求項１に係る発明は、願書に最初に添付した明細書並びに図面の記載から見て、特許請求の範囲の請求項１に記載された次のとおりのものと認める。なお、平成１１年１１月８日付け手続補正書は、補正却下された。
　
【請求項１】　
　中空電子ビームを放射する表面を有する陰極と；
前記陰極から隔てられて配置された陽極空洞であって，前記中空電子ビームのフアラデイ　ケージ　コレクタを形成するために前記空洞を規定する，対応内部寸法より小さい寸法の環状開口を有している前記空洞と；及び
　前記陰極と前記陽極空洞との間で，前記中空電子ビームに対して非遮り位置に配置された制御電極であって，さらに前記中空電子ビームの外側に配置された第１の電極要素と，前記中空電子ビームの内部に配置された第２の電極要素とを備えた制御電極，とを具備することを特徴とする高電力スイッチ装置。
　　　　　　　　　　　　　　　　　　　　　　　　　　　　　　　　　　　　
２．引用刊行物記載の発明
　これに対して、原査定の拒絶の理由に引用された、本願の出願の日前である昭和６２年１２月２日に頒布された特開昭６２−２８３５３２号公報（以下、「引用刊行物１」という。）には、次の事項が第４図、第６図及び第７図とともに記載されている。
（１）「次に第６図で、　第４図に似た図面が示されており、高電力スイッチ管１０はカットオフ・モードで示され、カソード１２とシャドウ・グリッド２２の電位は、高電力スイッチ管１０がオンのときと同じである。制御電極２６の電位はプラス４００ボルトからマイナス６８０ボルトに降下され、一方、スクリーン・グリッド２８とサプレッサ・グリッド３０の電位は同じままである。この構成では、電力スイッチ１０を流れる電流は存在せず、アノード３２の電圧はプラス２５，０００ボルトに増大する。」（第６頁左上欄第７行〜同１７行）
（２）「制御グリッド２６は１，０８０ボルトだけの電圧変化でビーム電流をオンオフするように機能する。」（第６頁右上欄第６行〜同８行）
（３）「アノードは、ファラディ遮蔽コレクタと設計されて２次放射を減少させるとともに電子を受け入れのために空洞の表面領域を増大させるようにしている。
　本発明は環状のリング４８の周りに８個の小銃４６を利用するものとして説明したが、本発明の教示内で他のカソード及びアノード構造も可能である。例えば、第７図は内径及び外径を持つ環状の表面を備えたほぼ平坦なカソード７１２と、このカソード７１２とアノード７３２の間に配置されたシャドウ・グリッド７２２，制御電極７２６及びスクリーン・グリッド７２８を含む一組のほぼ平坦なグリッドを示している。アノード７３２は、このアノード７３２を形成する溝の幅よりも狭い開口７３６を有する大きな環状溝として形成されている。」（第６頁右上欄第１７行〜左下欄第１２行）
　
　この記載事項によると、引用刊行物１には、
「ビーム電流（中空電子ビームに相当。）を放射する表面を有するカソード７１２（陰極に相当。）と；
　前記カソード７１２から隔てられて配置されたアノード７３２（陽極空洞に相当。）であって，前記ビーム電流のファラディ遮蔽コレクタ（フアラデイ　ケージ　コレクタに相当。）を形成するために前記アノード７３２を規定する，溝の幅よりも狭い開口７３６（対応内部寸法より小さい寸法の環状開口に相当。）を有している前記アノード７３２と；及び
　前記カソード７１２と前記アノード７３２との間で，前記ビーム電流に対して遮り位置に配置された制御電極７２６（制御電極に相当。）であり、前記ビーム電流をオンオフ（変調に相当。）するための制御電場領域を形成する制御電極７２６、
とを具備することを特徴とする高電力スイッチ装置。」
が記載されていると認められる。
　
　また、同じく原査定の拒絶の理由に引用された、本願の出願の日前である１９９５年１０月２４日に頒布された米国特許第５４６１２８２号明細書（以下、「引用刊行物２」という。）には、次の事項が FIG.4 及び FIG. 5とともに記載されている。
（１）「Refering now to FIG.4 and 5 ther is an electron gun 50 of the present invention.」（第４欄第５６行〜同第５７行）
（２）「Adjacent to the cathode emitting surface 64，outer and inner beam control electrodes 67 and 68 are provided. The inner beam control electrode 68 extends from a support cylinder 74 having a lower flange which mounts to an insulator ring secured to a rear portion of the cathode assembly 56.The outer beam control electrode 67 extends from a support cone 72 which attaches to the insulating annular ring portion 73 which is sandwiched between the support cylinders 52 and 53.The ring portion 73 secured to the support cylinders 52 and 53 by known joining technique,such as by brazing.　A bias voltage of approximately 100 volts may be applied between the inner and outer electrodes 67 and 68, as will be further described below.」（第５欄第２８行〜第４２行）
（３）「With the negative voltage applied to the cathode, an electric field is formed between the cathode surface 64, the anode 80, and the center post 84.　Since the cathode surface 64 is hightly negative with respect to the anode 80 and center post 84, a beam electrons 18 are drawn from the emitting surface 64.」（第５欄第６３行〜第６欄第１行）
（４）「A beam control voltage is provided between the cathode surface 64 and the beam control electrodes 67 and 68.」（第６欄第１７行〜同第１８行）
（５）「Thus, varying the shape, control voltage and bias voltage of the beam control electrodes 67 and 68 each contributes to altering the orbit radius of the beam, and its velocity and guiding center spread.」（第６欄第３６行〜同第４０行）
　
　つまり、上記引用例２には、おおよそ以下のことが記載されている。
「カソードとアノード８０との間で，前記ビーム電子１８に対して非遮り位置に配置されたビームコントロール電極６７，６８（制御電極に相当。）であって，さらに前記ビーム電子１８の外側に配置された外側ビームコントロール電極６７（第１の電極要素に相当。）と，前記ビーム電子１８の内部に配置された内側ビームコントロール電極６８（第２の電極要素に相当。）とを備えたビームコントロール電極６７，６８であり、ここで前記内側及び外側のビームコントロール電極６７及び６８は、これらの間に前記ビーム電子１８を制御するための電場（制御電場に相当。）領域を形成する電子銃。」
　
３．対比
　本願請求項１に係る発明と引用刊行物１に記載の発明とを対比すると、両者は、
【一致点】
「中空電子ビームを放射する表面を有する陰極と；
　前記陰極から隔てられて配置された陽極空洞であって，前記中空電子ビームのフアラデイ　ケージ　コレクタを形成するために前記空洞を規定する，対応内部寸法より小さい寸法の環状開口を有している前記空洞と；及び
　前記陰極と前記陽極空洞との間に配置された制御電極，とを具備することを特徴とする高電力スイッチ装置。」
で一致し、
【相違点】
本願請求項１に係る発明では、制御電極が、「中空電子ビームに対して非遮り位置に」配置され、「中空電子ビームの外側に配置された第１の電極要素と，前記中空電子ビームの内部に配置された第２の電極要素とを備えている」のに対し、引用刊行物１に記載の発明では、制御電極７２６は、ビーム電流に対して遮る位置に配置されている点、
で相違する。
　
４．当審の判断
　【相違点】について検討する。
　引用刊行物２には、カソードとアノード８０との間で，電子ビーム電子１８に対して非遮り位置で、外側に配置された外側ビームコントロール電極６７と，内部に配置された内側ビームコントロール電極６８とを備える電子銃が記載されている。
　そして、非遮り位置に配置された制御電極による変調として、中空電子ビームをオンオフすることは、周知のこと（日本放送協会偏「ＮＨＫカラーテレビ教科書（上）」（昭５４−１２−２０）日本放送出版協会　Ｐ．２３２−２３４、特に「バイアス電圧を次第に深くしていくと、ついにあるバイアス電圧でカソードからの放射電子は取り出せなくなり、このときのバイアス電圧を電子ビームのカットオフ電圧といい、Ｅｃｏという記号で表す。」との記載、及び、特開平５−３６３６９号公報　（第６頁右欄第２６行〜同第３２行）、「スイッチ２０６により電源２０７の電圧が電極２０２に印加されれば、実施例１において説明した如く、ターゲット面２０４上で電子ビームは収束され、電源２０９の電圧が電極２０２に印加されれば、電子ビームはターゲット面２０４上に到達しない。本実施例によればターゲット面２０４上の収束電子ビームをＯＮ／ＯＦＦすることができた。」との記載参照。）にすぎないので、引用刊行物２に記載のビームコントロール電極を同様の技術分野の文献である引用刊行物１に記載の制御電極に適用することにより、
上記相違点の技術的事項とすることは当業者が容易になし得る程度の事項である。
　
５．むすび
　したがって、本願請求項１に係る発明は、引用刊行物１及び２に記載の発明及び周知技術に基づいて当業者が容易に発明をすることができたものであるので、特許法第２９条第２項の規定により特許を受けることができない。
　よって、結論のとおり審決する。